(57)【要約】      （修正有）【課題】植物栽培ハウス内に空調機を設置してハウス内を空調する場合、空調機の後方にある植物にも空調用空気が行き渡り、ハウス全体に均一な空調を行うことを可能とする植物栽培ハウスの空調方法を提供する。【解決手段】空調機２をハウス１内の側縁部６に空調用空気Ａの吹き出し口３をハウス１の側縁部６に向けて設置し、該吹き出し口３にハウス１内に延びるダクト４を取り付け、ダクト４から空調用空気Ａを吹き出すようにしたことを特徴とする。【選択図】図１
2011062132.tif 000002
【特許請求の範囲】
【請求項１】
植物栽培ハウスを空調する方法において、空調機をハウス内の側縁部に空調用空気の吹き出し口をハウスの側縁部に向けて設置し、該吹き出し口にハウス内に延びるダクトを取り付け、ダクトから空調用空気を吹き出すようにしたことを特徴とする植物栽培ハウスの空調方法。
【請求項２】
前記吹き出し口をハウスの上方に向くようにし、吹き出し口にハウス上部に配設されるダクトを取り付け、ダクトから空調用空気を吹き出すようにしたことを特徴とする請求項１記載の植物栽培ハウスの空調方法。
【請求項３】
植物栽培ハウスを空調する方法において、空調機をハウス内の側縁部に空調用空気の吹き出し口をハウスの側縁部に向けて設置し、該吹き出し口からハウス内に直に空調用空気を吹き出すようにしたことを特徴とする植物栽培ハウスの空調方法。
【請求項４】
植物栽培ハウスを空調するための装置であって、ハウス内の側縁部に空調用空気の吹き出し口をハウスの側縁部に向けて設置された空調機と、空調用空気の吹き出し口に取り付けられてハウス内に延び、ハウス内に空調用空気を吹き出すためのダクトをそなえることを特徴とする植物栽培ハウスの空調装置。
【発明の詳細な説明】
【技術分野】
【０００１】
本発明は、植物栽培ハウスの空調方法および装置に関する。
【背景技術】
【０００２】
従来、洋ランなど、園芸作物などの栽培ハウスにおいては、暖房装置または冷房装置として機能する空調機をハウス内に設置して、空調機から空調用空気をハウス内に均一に吹き出させ、ハウス内の温度、湿度などを調整することが行われている。
【０００３】
例えば、図２に示すように、ハウス１内の側縁部６に空調機２を設置し、空調機２の吹き出し口３にハウス内に延びるビニール管などのダクト４を取り付け、ダクト４に多数の空気吹き出し孔５を設けて、温風、冷風などの空調用空気Ａをハウス１内に吹き出させる方式が採用されている。通常、空調機２の複数の吹き出し口にそれぞれダクトを取り付け、ダクトをハウスの天井から吊り下げて、上方からハウス内の植物Ｐに空調用空気を吹き付けるよう構成されている。
【０００４】
また、図示しないが、同じくハウス内の側縁部に空調機を設置し、複数個の空調機の吹き出し口から温風、冷風などの空調用空気をハウス内に吹き出させるようにした、ダクトを用いない直吹き出し方式も行われている。
【０００５】
ダクトを用いる方式においては、ハウス内に植物の載置台を配設して、載置台上で植物を栽培するようにし、載置台の下方にダクトを配置し、空調用空気を上方に吹き出させる方式も行われている。また、上記のビニール管などのダクトでは、空気の吹き出し位置および吹き出し角度が固定されるため、空調効果に偏りが生じるという問題を解消するために、通気性の不織布と樹脂製のテープ状スプリットヤーンを交差させた補強シートとの重合シートを円筒状に成形してダクトを構成し、ダクト全体から空調用空気を透出させてハウス全体に均一な空調を行うことも提案されている。
【０００６】
上記の空調方法においては、空調機がハウス内の側縁部に設置され、空調機の吹き出し口がハウス内に突き出ており、また、多くのハウスにおいては、ハウス内に通気遮断のためビニールカーテン（図２のＣ）を立設して空調することが行われているため、空調機の吸い込み口にビニールカーテンが吸い込まれるのを防ぐため、空調機はハウス内の側縁部から間隔を開けて設置されている。従って、通常、ハウスハウスの側縁部から吹き出し口までの距離は通常は２ｍ以上となり、その後方にある植物には空調用空気がまわり難く、ハウス全体に均一な空調を行い難いという問題がある。
【先行技術文献】
【特許文献】
【０００７】
【特許文献１】特開平９−１８７１７４号公報
【発明の概要】
【発明が解決しようとする課題】
【０００８】
本発明は、植物栽培ハウスの空調における上記従来の問題を解消するためになされたものであり、その目的は、空調機の後方にある植物にも空調用空気が行き渡り、ハウス全体に均一な空調を行うことを可能とする植物栽培ハウスの空調方法および装置を提供することにある。
【課題を解決するための手段】
【０００９】
上記の目的を達成するための請求項１による植物栽培ハウスの空調方法は、植物栽培ハウスを空調する方法において、空調機をハウス内の側縁部に空調用空気の吹き出し口をハウスの側縁部に向けて設置し、該吹き出し口にハウス内に延びるダクトを取り付け、ダクトから空調用空気を吹き出すようにしたことを特徴とする。
【００１０】
請求項２による植物栽培ハウスの空調方法は、請求項１において、前記吹き出し口をハウスの上方に向くようにし、吹き出し口にハウス上部に配設されるダクトを取り付け、ダクトから空調用空気を吹き出すようにしたことを特徴とする。
【００１１】
請求項３による植物栽培ハウスの空調方法は、植物栽培ハウスを空調する方法において、空調機をハウス内の側縁部に空調用空気の吹き出し口をハウスの側縁部に向けて設置し、該吹き出し口からハウス内に直に空調用空気を吹き出すようにしたことを特徴とする。
【００１２】
請求項４による植物栽培ハウスの空調装置は、植物栽培ハウスを空調するための装置であって、ハウス内の側縁部に空調用空気の吹き出し口をハウスの側縁部に向けて設置された空調機と、空調用空気の吹き出し口に取り付けられてハウス内に延び、ハウス内に空調用空気を吹き出すためのダクトをそなえることを特徴とする。
【発明の効果】
【００１３】
本発明によれば、空調機がハウス内の側縁部に空調用空気の吹き出し口をハウスの側縁部に向けて設置されているため、空調機の後方にある植物にも空調用空気が行き渡り、ハウス全体に均一な空調を行うことができる。
【図面の簡単な説明】
【００１４】
【図１】本発明による植物栽培ハウスの空調方式のうち、ダクトを用いる場合の一例を示す図である。
【図２】従来の植物栽培ハウスの空調方式のうち、ダクトを用いる場合を示す図である。
【発明を実施するための形態】
【００１５】
本発明による植物栽培ハウスの空調方法および装置の実施例の構成を図面に基づいて具体的に説明する。従来と同じ部材は同一の符号を付した。ダクトを用いる方式においては、図１に示すように、ハウス１内の側縁部６に、空調機２を空調用空気の吹き出し口３がハウス１の側縁部６に向くよう設置し、空調用空気の吹き出し口３にハウス１内に延びるダクト４を取り付け、ダクト４からハウス１内に空調用空気Ａを吹き出すよう構成する。ダクト４は、図１に示すように、天井から吊り下げる方式としてもよく、前記特開平９−１８７１７４号公報に記載されるように、地面に敷設する方式とすることもできる。
【００１６】
空調機２は、ハウス１内に一台設置してもよく、複数台設置することもできる。空調機２の空調用空気の吹き出し口３は複数設けるのが望ましく、各吹き出し口３にそれぞれダクト４を取り付ける。ダクト４は、例えば塩ビ管その他のビニール管のような通気性を有しない管からなり、これに多数の空気吹き出し孔５を設けて、温風、冷風などの空調用空気をハウス１内に吹き出させる方式としてもよく、前記特開平９−１８７１７４号公報に記載される通気性の不織布と樹脂製のテープ状スプリットヤーンを交差させた補強シートとの重合シートを円筒状に成形したもののように、通気性をそなえた管から構成し、ダクト全体から均一に空調用空気を透出させる方式としてもよい。
【００１７】
空調機２の吹き出し口３は、図１に示すように、ハウスの上方に向くようにし、この吹き出し口３にハウス１上部に配設されるダクト４を取り付けるのが好ましく、この構成により、空調用空気は上方に吹き出し、ハウス上部に配設されるダクト内を通ることとなり、ハウス上方はハウス下方に比べて湿度が低いから、吹き出す空調用空気は湿度がより低いものとなり、細菌の繁殖し難いなどの利点がある。
【００１８】
上記本発明の構成によれば、空調機がハウス内の側縁部に空調用空気の吹き出し口をハウスの側縁部に向けて設置されているため、ハウスの側縁部から空調機の後端部までの距離は短くなり、空調機の後方にある植物にも空調用空気が行き渡り、ハウス全体に均一な空調を行うことができる。空調機の吸い込み口はハウス前方を向いているから、吸い込み口にハウス内に立設されたビニールカーテンＣが吸い込まれるトラブルも解消される。
【００１９】
空調機の温度センサーは、通常、空調機の後方に配置されているから、空調機がハウス内の側縁部に空調用空気の吹き出し口をハウスの側縁部に向けて設置されることを特徴とする本発明においては、温度センサーがハウスの端部ではなく、栽培植物により近いところに位置することとなるから、ハウス内の温度をより適切に感知することができ、ハウス内温度の均一化に有効となる。
【００２０】
ダクトを用いない本発明の具体例については、とくに図示しないが、空調機をハウス内の側縁部に空調用空気の吹き出し口をハウスの側縁部に向けて設置し、空調機２の吹き出し口からハウス内に直に空調用空気を吹き出すようにしたもので、好ましくは、吹き出し口３を上方、後方斜め上方、または後方に向け、ハウス内に直に空調用空気を吹き出すようにする。例えば、図１において、吹き出し口３に取り付けたダクト３を一点鎖線Ｘの位置で切断（上方）、Ｙの位置で切断（後方斜め上方）、Ｚの位置で切断（後方）したものに相当する構成であり、上記と同様の効果が得られる。
【符号の説明】
【００２１】
１  植物栽培ハウス
２  空調機
３  空調用空気の吹き出し口
４  ダクト
５  空調用空気の吹き出し孔
６  ハウスの側縁部
Ｃ  ビニールカーテン
Ａ  空調用空気
Ｐ  栽培植物
Ｘ  本発明のうち、請求項３記載の空調用空気を上方へ吹き出す直吹き出し方式を構成するためのダクトの切断位置の一例である。
Ｙ  本発明のうち、請求項３記載の空調用空気を後方斜め上方へ吹き出す直吹き出し方式を構成するためのダクトの切断位置の一例である。
Ｚ  本発明のうち、請求項３記載の空調用空気を後方へ吹き出す直吹き出し方式を構成するためのダクトの切断位置の一例である。
【図１】
2011062132.tif 000003
【図２】
2011062132.tif 000004